(57)【要約】      （修正有）【課題】どの方向にも自由に曲がる手摺用継手を提供する。【解決手段】それぞれ一側部を断面が円形の円形部５とし、他側部を断面が半円形の半円形部６とした４個の継手部材１ａ、１ｂ、１ｃ、１ｄからなる手摺用継手であって、これらの継手部材１ａ、１ｂ、１ｃ、１ｄを軸方向に並べ、中央の２個の継手部材１ｂ、１ｃは円形部５で突合せられ、両円形部５の軸心の回りに回動可能に連結され、上記２個の継手部材１ｂ、１ｃとその外側の継手部材１ａ、１ｄは互いに半円形部６の平面部で突合せられ、上記平面部３に対して直交する軸のまわりに回転可能に連結されている。【選択図】図１
2005188114.tif 000002
【特許請求の範囲】
【請求項１】
４個の継手部材からなる手摺用継手であって、それぞれ一側部を断面が円形の円形部とし、他側部を断面が半円形の半円形部とした４個の継手部材を軸方向に並べ、中央の２個の継手部材は円形部で突合せられ、両円形部の軸心の回りに回動可能に連結され、上記２個の継手部材とその外側の継手部材は互いに半円形部の平面部で突合せられ、上記平面部に対して垂直の軸のまわりに回転可能に連結されていることを特徴とする手摺用継手。
【請求項２】
前記両端の継手部材の円形部に手摺の端部を連結するとともに、前記４個の継手部材を真直方向に揃えたときは、全体が手摺とほぼ同径の円筒状に形成される、請求項１記載の手摺用継手。
【発明の詳細な説明】
【技術分野】
【０００１】
本発明は手摺を連結するための継手に関するものである。
【背景技術】
【０００２】
一般に、手摺は主に老人や病人などが安定して歩くことができるようにするための補助設備であるが、手摺は真直に設けられるとは限らない。設置すべき現場の状況に応じて横に曲がったり、上向きまたは下向きに連続したりし、その角度も大きかったり小さかったりする。
【０００３】
そのため、従来は特許文献１または特許文献２に示されるように、真直状の手摺を継手で連結し、継手自体が屈曲できるようになっている。
【特許文献１】特許第３０８８６７６号公報
【特許文献２】特開２００２−１６７９３７号公報
【発明の開示】
【発明が解決しようとする課題】
【０００４】
しかしながら、上記継手は、角度調整部材を増減させることによって調整するものであったから、調整角度は決まってしまい、微調整ができないので、現場の状況に応じた正確な角度合わせはできない。
【０００５】
角度調整部材の取り付けをネジで行なわなければならないほか、角度調整部材をいつも手摺取付現場の状況に応じて多数個準備しておく必要があるので、煩わしい。
【０００６】
さらに、角度調整部材は楔形になっているから、組み合わせても真直状にはできないので、手摺を真直に連結する場合も、連結部は曲がっているので、手摺を伝って歩くときなど、不快である。
【０００７】
本発明は上記問題点を解決し、どの方向にもどの角度にも自由に曲がる手摺用継手を提供することを第１の課題とする。
【０００８】
また、本発明は、手摺を真直状に連結することにより、手摺を伝って歩くときにも不快感を感じない手摺継手を提供することを第２の課題とする。
【課題を解決するための手段】
【０００９】
第１の課題を解決するため、本発明に係る手摺用継手は、４個の継手部材からなる手摺用継手であって、それぞれ一側部を断面が円形の円形部とし、他側部を断面が半円形の半円形部とした４個の継手部材を軸方向に並べ、中央の２個の継手部材は円形部で突合せられ、両円形部の軸心の回りに回動可能に連結され、上記２個の継手部材とその外側の継手部材は互いに半円形部の平面部で突合せられ、上記平面部に対して垂直の軸のまわりに回転可能に連結されていることを特徴とする。
【００１０】
第２の課題を解決するため、本発明に係る手摺用継手は、前記両端の継手部材の円形部に手摺の端部を連結するとともに、前記４個の継手部材を真直方向に揃えたときは、全体が手摺とほぼ同径の円筒状に形成されるようにしたことを特徴とする。
【発明の効果】
【００１１】
請求項１に係る発明によれば、４個の継手部材のうち中央の２個の継手部材は互いに軸心の回りに回動自在となり、外側に連結された２個の継手部材は、中央の２個の継手部材に対して平面部に対して直交する軸のまわりに回転可能に連結されているから、外側の継手部材に手摺を連結することにより、手摺はどの方向にも自由に曲げることができる。したがって、設置すべき現場で連結されるべき手摺が横に曲がったり、上向きまたは下向きに連続したりし、その角度も大きかったり小さかったりしても微調整ができ、現場の状況に応じて自由に手摺を連結することができる。
【００１２】
しかも、上記継手は、角度調整は互いに連結された継手部材を回動させるだけでよいので、作業が楽であり、非常に取り扱いやすい。
【００１３】
請求項２に係る発明によれば、４個の継手部材を真直方向に揃えたときは、全体が手摺とほぼ同径の円筒状に形成されるから、たとえば真直部に支柱を立てるためのブラケットに手摺を包囲するように形成された構造のものを用いれば、このブラケットを、継手部分にも利用することができる。しかも、中央の２個の継手部材の軸心は常に同軸上にあるから、上記２個の継手部材にブラケットを取り付けるようにすれば、強固で安定した状態で取り付けられる。
【００１４】
さらに、手摺を真直に連結する場合、継手も真直になっているので、手摺を伝って歩くときなど、不快感を感じない。
【実施例１】
【００１５】
図１（ａ）（ｂ）は手摺用継手の正面図及び底面図であり、図４は継手の分解図である。同図において符号１は継手、２は手摺を示す。
【００１６】
継手１は４個の継手部材１ａ、１ｂ、１ｃ、１ｄから構成されている。各継手部材１ａ、１ｂ、１ｃ、１ｄは、一端が円形、他端側が半球状に形成された円柱状の部材（手摺とほぼ同じ径）を上記半球状の側を真中から縦に割るとともに、軸心に直交する面で切ることによって、軸心を通る平面３とこの平面と直角な平面４とからなる切欠き部を形成したもので、一側部は断面が円形の円形部５とし、他側部を断面が半円形の半円形部６となっている。
【００１７】
なお、４個の継手部材１ａ、１ｂ、１ｃ、１ｄは軸方向に並んで連結されるが、中央に位置する２個の継手部材１ｂ、１ｃは円形部５で突合せられている。そして、一方の継手部材１ｂの突合せ側には断面円筒形の凸部７が、他方の継手部材１ｃの突合せ側には上記凸部７に嵌合する凹部８が形成されている。また、上記凸部７の周面にはＶ字形の係合溝９が形成され、凹部８には、上記係合溝９に対応する相対位置にネジピン孔１０が形成されている。さらに、上記円形部５の周面にはＶ字形の係合溝１１が形成されている。
【００１８】
また、外側の継手部材１ａ、１ｂ、１ｃ、１ｄの軸心に沿う平面には、軸心と上記平面３の半円形の端部の直径とが交わる位置に、上記平面に対して垂直の第２のネジ孔１２が形成されている。さらに、外側の継手部材１ａ、１ｄの円形部５の端面には、連結金具用の取付穴１３が形成されている。この取付穴１３は８角形に形成されている。
【００１９】
次に、上記２個の継手部材１ａ、１ｂ、１ｃ、１ｄの一方の凹部８に他方の凸部７を嵌合し、図２のようにネジピン孔１０からネジピン２３をねじ込んでその先端を凸部７の係合溝９に係合させる。これにより、２個の継手部材１ｂ、１ｃは軸心のまわりに回転可能となる。次に、上記２個の継手部材１ｂ、１ｃとその外側の継手部材１ａ、１ｄは、互いに半円形部６の平面部で突合せられ、上記平面３に対して垂直のネジ孔１２にネジ１４を螺合し、このネジ１４の軸のまわりに回転可能に連結されている。この場合、継手部材１ａ、１ｂ、１ｃ、１ｄの先端は半球状に形成されているから、ネジ軸の回りに継手部材を円滑に回転させることができる。
【００２０】
手摺２は金属や合成樹脂の押出し型材によって形成され、図３に示されるように、下方は開口され、開口縁から内側にコ字形の溝部１５が形成されている。溝部には手摺２とほぼ同じ長さのキャップ１６が取り付けられるようになっている。手摺２の内側空間は連結金具１７が嵌まり合う大きさに形成されている。
【００２１】
次に、上記継手１を介して手摺２を連結するときは、まず外側の継手部材１ａ、１ｄの取付穴１３に連結金具１７を嵌合させてネジ１８で固定し、継手部材１ａ、１ｄから突出した取付部１３を手摺２の内側に嵌合してネジ１９で固定する。最後に、上記開口部にキャップ１６を係着させればよい。
【００２２】
４個の継手部材１ａ、１ｂ、１ｃ、１ｄのうち中央の２個の継手部材１ｂ、１ｃは互いに軸心の回りに回動自在となり、外側に連結された２個の継手部材１ａ、１ｄは、中央の２個の継手部材１ｂ、１ｃに対して平面部に対して直交する軸のまわりに回転可能に連結されているから、図５の矢印ａ、ｂに示されるように、外側の継手部材１ａ、１ｄをどの方向にも自由に曲げることができる。したがって、外側の継手部材１ａ、１ｄに手摺２を連結することにより、手摺２はどの方向にも微調整して自由に曲げることができる。したがって、図６に示されるように、設置すべき現場で連結されるべき手摺２が横に曲がったり、あるいは上向きまたは下向きに連続したりし、その角度も大きかったり小さかったりしても、現場の状況に応じて自由に手摺２を微調整して連結することができる。なお、図６において２０は支柱である。
【００２３】
また、各継手部材１ａ、１ｂ、１ｃ、１ｄはもともとは円柱状に形成されているから、４個の継手部材１ａ、１ｂ、１ｃ、１ｄを真直方向に揃えたときは、全体が手摺２とほぼ同径の円筒状に形成されるので、図６のように、継手１が手摺２の外部に現われても、違和感が少ない。
【００２４】
さらに、手摺２を真直に連結する場合、継手１も真直になっているので、手摺を伝って歩くときなど、不快感を感じない。
【実施例２】
【００２５】
次に、図７、図８及び図９に示されるように、上述の４個の継手部材１ａ、１ｂ、１ｃ、１ｄのほかに、中央の２個の継手部材１ａ、１ｂ、１ｃ、１ｄの突合せられた円形部５をブラケット２１で支持する構成とすることにより、手摺２のコーナー部に支柱２０を立てることができる。
【００２６】
すなわち、ブラケット２１は継手部材１ｂ、１ｃの円形部５を回転可能に包囲可能な短円筒状の包囲部２１ａと、この包囲部２１ａから突設された支持部２１ｂとから構成され、包囲部２１ａには、中央の２個の継手部材１ｂ、１ｃの円形部５に形成された係合溝１１に対応する位置に設けられたネジピン孔２２からネジピン２３を螺合し、その先端を上記係合溝１１に係合させている。これにより、上記ブラケット２１は継手１の軸心のまわりを自由に回転させることができる。
【００２７】
支持部２１ｂは角柱状に形成され、支柱２０の上端に形成された取付溝２４に上記支持部２１ｂを嵌め、ボルト２５で固定すればよい。
【００２８】
上記構成によれば、図１０に示されるように、手摺２のコーナー部にも真直部と同じブラケット２１によって支柱を立てることができる。
【００２９】
また、継手１の角度が包囲部２１ａによって制限を受けることがないので、どのような方向、角度の手摺２にも対応することができる。しかも、中央の２個の継手部材１ｂ、１ｃの軸心は常に同軸上にあるから、上記２個の継手部材にブラケット２１を取り付けるようにすれば、強固で安定した状態で取り付けられる。
【発明を実施するための最良の形態】
【００３０】
４個の継手部材から構成され、これらを真直方向に揃えたときは、全体が手摺とほぼ同径の円筒状に形成されるのがよい。
【図面の簡単な説明】
【００３１】
【図１】（ａ）（ｂ）は手摺２を取り付けた状態の継手１の正面図及び底面図
【図２】図１（ａ）のＸ−Ｘ線上の断面図
【図３】図１（ａ）のＹ−Ｙ線上の断面図
【図４】継手１の分解図
【図５】継手１の回動態様を示す正面図
【図６】継手１を介して手摺２を取り付けた状態の平面図
【図７】他の実施例の分解図
【図８】手摺２と支柱とを取り付けた状態の要部の正面図
【図９】図８のＺ−Ｚ線上の一部の断面図
【図１０】継手を介して手摺２を取り付けた状態の側面図
【符号の説明】
【００３２】
１    継手
１ａ、１ｂ、１ｃ、１ｄ    継手部材
２    手摺
５    円形部
６    半円形部
【図１】
2005188114.tif 000003
【図２】
2005188114.tif 000004
【図３】
2005188114.tif 000005
【図４】
2005188114.tif 000006
【図５】
2005188114.tif 000007
【図６】
2005188114.tif 000008
【図７】
2005188114.tif 000009
【図８】
2005188114.tif 000010
【図９】
2005188114.tif 000011
【図１０】
2005188114.tif 000012